(57)【特許請求の範囲】
【請求項１】
着座部、およびこの着座部の下方に配置した便座本体と、
前記着座部の内面に配設した１８０°の折り返し部の集合で蛇行状に形成されたコード状発熱体とを備え、
前記着座部は複数の領域に分割され、前記領域ごとの単位面積あたりのコード状発熱体長さを略等しくするとともに、上箔体及び下箔体は、アルミニウム箔材の片面に絶縁シートがあるものであって、それらをアルミニウム箔体側同士で接着した前記上箔体と前記下箔体との間に前記コード状発熱体を挟持し、接着した前記上箔体と前記下箔体の端面を絶縁部材で封止し、前記上箔体を前記着座部の内面に取着し、前記コード状発熱体の配設は、便座本体嵌合部近傍で密にし、蛇行状に形成した前記コード状発熱体の他の部分よりも高温となる領域で、前記コード状発熱体の直線部長さを短くした暖房便座。
【請求項２】
前記コード状発熱体をエナメル線で構成した請求項１に記載の暖房便座。
【請求項３】
前記エナメル線をさらに絶縁被覆で被覆した請求項２に記載の暖房便座。
【請求項４】
前記着座部を熱良導材で構成した請求項１〜３のいずれか１項に記載の暖房便座を便器に装着したトイレ装置。
【発明の詳細な説明】
【技術分野】
【０００１】
本発明は、暖房機能を有する便座に関するものである。
【背景技術】
【０００２】
従来、この種の暖房便座は、図７に示すように、合成樹脂製の馬蹄形の便座の着座部に面状発熱体１０１を埋設していた。この面状発熱体１０１は金属箔シート１０２と粘着テープ１０３との間にフッ素樹脂を絶縁皮膜１０４とした外径１ｍｍ以下のコード状ヒータ１０５を略長Ｕ字形状の連続した配線パターンで挟持したものである。
実際には、７本の０．０５ｍｍのニッケルクロム合金線をより線状態にした抵抗線１０６にフッ素樹脂としてＥＴＦＥ（エチレン−テトラフルオロエチレンの共重合体の架橋体）で被覆して、外径約０．５５ｍｍのコード状ヒータ１０５としている。
【０００３】
これによって、コード状ヒータ１０５の絶縁皮膜１０４として薄肉であっても十分な機械的強度を有し、かつ比較的高温まで溶融しにくいフッ素樹脂を使用したことにより、コード状ヒータ１０５の外径を１ｍｍ以下の細径にすることが可能で、面状発熱体１０１の表面を平滑に近くでき、便座に埋設する際に合成樹脂の流れを円滑にできるというものであった（例えば、特許文献１参照）。
【特許文献１】特開平８−７８１４３号公報
【発明の開示】
【発明が解決しようとする課題】
【０００４】
しかしながら、前記従来の構成においては、コード状ヒータ１０５に通電がなされて抵抗線１０６が発熱する際に熱膨張が発生し、特に、略長Ｕ字形状の長手方向に伸張度が高い傾向となる。
【０００５】
さらに暖房便座においては、その保温機能を維持するために、通電のＯＮ、ＯＦＦなどの制御がなされ、それに伴い、コード状ヒータ１０５の抵抗線１０６は熱膨張、収縮を繰り返す。
【０００６】
その熱膨張、収縮による歪みは、コード状ヒータ１０５、金属箔シート１０２、粘着テープ１０３の三者の間に発生した空隙１０７などで集中して発生して増幅され、コード状ヒータ１０５が連続的に屈伸し、最も屈伸状態が激しい部分が破断しうるため、便座の暖房性能が失われることがあった。
【０００７】
また、便座着座部を熱良導性材料で構成し、使用時のみ瞬間的に暖めることで省エネルギーを実現する構成においては、数秒で使用者が冷たさを感じない冷感限界温度にまで暖める必要があり、冬場を想定し仮に５℃から２９℃まで便座表面温度を昇温させる際には、ヒータ線温度が１００〜１５０Ｋ程度上昇する。このように瞬間暖房便座においては、ヒータの線温度が非常に高くなり、その上でヒータの配線パターンに起因する温度分布にムラがあると、さらに線温度は局所的に高温となるため、従来よりも熱膨張による伸びが大きくなり、ヒータの屈伸度合いも大きくなるため、破断に至るまでの時間も短くなることが課題であった。
【０００８】
本発明は、上記問題に鑑みてなされたものであり、繰り返し生じる熱膨張収縮の影響を最小にするヒータパターンとして、熱影響を抑制可能でヒータ性能を長期に保持できる暖房便座を提供することを目的とする。
【課題を解決するための手段】
【０００９】
本発明に係る暖房便座は、着座部、およびこの着座部の下方に配置した便座本体と、前記着座部の内面に配設した１８０°の折り返し部の集合で蛇行状に形成されたコード状発熱体とを備え、前記着座部は複数の領域に分割され、前記領域ごとの単位面積あたりのコード状発熱体長さを略等しくするとともに、上箔体及び下箔体は、アルミニウム箔材の片面に絶縁シートがあるものであって、それらをアルミニウム箔体側同士で接着した前記上箔体と前記下箔体との間に前記コード状発熱体を挟持し、接着した前記上箔体と前記下箔
体の端面を絶縁部材で封止し、前記上箔体を前記着座部の内面に取着し、前記コード状発熱体の配設は、便座本体嵌合部近傍で密にし、蛇行状に形成した前記コード状発熱体の他の部分よりも高温となる領域で、前記コード状発熱体の直線部長さを短くしたものである。
【００１０】
上記発明によれば、他の箇所より高温となる発熱体の特定の部位では、膨張・収縮による歪みも大きくなるが、その部分に配設するコード状発熱体の直線部長さを短くして、熱の影響をなるべく小さくすることでその破断を抑制することができる。そして、上箔体及び下箔体は、アルミニウム箔材の片面に絶縁シートがあるものであって、それらをアルミニウム箔体側同士で接着した前記上箔体と前記下箔体との間に前記コード状発熱体を挟持し、接着した前記上箔体と前記下箔体の端面を絶縁部材で封止し、前記上箔体を前記着座部の内面に取着した暖房便座であり、絶縁性が大きく向上することができる。
【発明の効果】
【００１１】
以上のように本発明によれば、長期にわたり暖房性能が損なわれることのない暖房便座を提供できる。
【発明を実施するための最良の形態】
【００１２】
請求項１に記載の発明は、着座部、およびこの着座部の下方に配置した便座本体と、前記着座部の内面に配設した１８０°の折り返し部の集合で蛇行状に形成されたコード状発熱体とを備え、前記着座部は複数の領域に分割され、前記領域ごとの単位面積あたりのコード状発熱体長さを略等しくするとともに、上箔体及び下箔体は、アルミニウム箔材の片面に絶縁シートがあるものであって、それらをアルミニウム箔体側同士で接着した前記上箔体と前記下箔体との間に前記コード状発熱体を挟持し、接着した前記上箔体と前記下箔体の端面を絶縁部材で封止し、前記上箔体を前記着座部の内面に取着し、前記コード状発熱体の配設は、便座本体嵌合部近傍で密にし、蛇行状に形成した前記コード状発熱体の他の部分よりも高温となる領域で、前記コード状発熱体の直線部長さを短くした暖房便座であり、他の箇所より高温となる発熱体の特定の部位では、膨張・収縮による歪みも大きくなるが、その部分に配設するコード状発熱体の直線部長さを短くして、熱の影響をなるべく小さくすることで、コード状発熱体の破断を抑制することができる。そして、片面に絶縁シートを有し、それらアルミニウム箔体側同士で接着した上箔体と下箔体との間に前記コード状発熱体を挟持し、接着した上箔体と下箔体の端面を絶縁部材で封止し、上方の熱良導性箔体を前記着座部の内面に取着した暖房便座であり、絶縁性が大きく向上することができる。
【００１３】
着座部の縁の立ち下がり高さは着座部の場所によってまちまちで、かつこの部分は便座本体との嵌合のためにコード状発熱体を構成することが難しく、そこからの放熱量が大きくなる。上記のようなコード状発熱体を構成しづらい側のワット密度を上げるような構成をとることで、着座部の温度分布の均一性が向上する。
【００１４】
着座部を暖房する点について、着座部の各部位に注目すると、特に高温化する必要のある部位としては次のような部位がある。着座部の中でも特に使用者の大腿部などが接触する部分は、着座に備えて特に早く高温に昇温し、着座に十分な温度になる必要がある。着座された際には、便座の表面が人体に覆われ放熱しなくなるが、逆に人体に熱を奪われるので、周囲に比較し高温化する必要がある。また、サーモスタットや温度ヒューズ等の安全装置を取り付ける場所は、これらの安全装置の熱容量に発熱体熱が奪われて、その部分の着座部表面の昇温速度が低下するのを防止するために、コード状発熱体の配設密度を上げて安全装置を取り付ける対応箇所とその周辺の温度を高温にする。これらの他の箇所より高温となる発熱体の特定の部位では、膨張・収縮による歪みも大きくなるが、その部分に配設するコード状発熱体の直線部長さを短くして、熱の影響をなるべく小さくすることでその破断を抑制することができる。また、前者と後者では実際に即して設計すると発熱体の配設密度が異なり、実際の温度上昇幅も異なるが、その場合においても温度の上昇幅
に応じてコード状発熱体の膨張の程度が変るので直線部長さを変えることで部位毎に個別に対応ができる。
【００１５】
請求項４に記載の発明は、特に第１から第３のいずれか１つの発明において、着座部を熱良導材で構成した暖房便座を便器に装着したトイレ装置である。着座部が熱良導材であるため、従来の樹脂材料を着座部に用いた暖房便座と比べると瞬間的に便座の暖房が行われ、使用者のトイレルームへの入室を検知してからの通電でも十分快適な暖かさを提供できるため、使用者がいない時には暖房便座への通電を切ることができ、省エネとなる暖房便座を便器に装着したトイレ装置であり、瞬間的に便座が暖まる優れた機能のトイレ装置となる。
【００１６】
以下本発明の実施の形態について、図面を参照にしながら説明する。なお、本実施の形態によって発明が限定されるものではない。
【００１７】
（実施の形態１）
図１Ａ、図１Ｂに暖房便座１の発熱体４の配列図を示す。図２に暖房便座１の着座部３の上面図を示す。図３に図２のａ１−ａ１断面およびａ２−ａ２断面図を示す。図４に発熱体４の拡大断面図を示す。
【００１８】
暖房便座１は、合成樹脂などで形成され、便座装置に付随する各種機能ユニットを内蔵する便座本体２と、便座本体２上方に設けた板厚約１ｍｍのアルミニウムなどの熱良導性板材（例えば、熱伝導率２３７Ｗ／（ｍ・Ｋ）のアルミニウム、４２０ｗ／（ｍ・Ｋ）の銅等の良導性板材を示す）を成型して構成した着座部３とで構成してある。着座部３が熱良導性板材で構成されているため、必要時のみの便座暖房、例えば、トイレルームへの入室を人体検知センサで検知し、入室から着座までの間に着座部３を速熱的に昇温することが可能となり、不必要時に着座部３への加熱を停止、あるいは所定温度より低い保温温度で維持することができるため、省エネとなる。
【００１９】
着座部３の内面には発熱体４が配設してある。すなわち、前記発熱体４はエナメル線５を絶縁材６で被覆したコード状発熱体７が採用されており、上、下箔体８，９の間に蛇行状に配列保持されている。エナメル線５は、外径０．２５ｍｍの銅線１０にＰＡＩ、またはＰＩを材料とした被覆厚０．０１２ｍｍの絶縁被覆１１を施した外径０．２５４ｍｍのものであり、外周をＰＦＡなどからなる被覆厚０．１２ｍｍの絶縁被覆６でさらに被覆した同軸ケーブル状の構成である。前記エナメル線５を挟持する上、下箔体８，９は、０．０５ｍｍのアルミニウム箔材が使用されており、それらの対抗面、つまりはエナメル線挟持面には層厚０．０２５ｍｍのＰＥＴなどの耐熱絶縁層１２，１３が施されている。耐熱絶縁層１２，１３を粘着剤で接着することで前記上、下箔体８，９は一体化されており、また上箔体８は着座部３の内面に同じく粘着剤を介して接着してある。この際、圧延しながら上、下箔体８，９を接着していくことで、貼り合わせにより生じる空気溜りを最小限のものとし、コード状発熱体７から上、下箔体８，９への熱伝導性を向上させる。このように、コード状発熱体７は、エナメル線５の絶縁被覆１１、それを被覆する絶縁材６、さらには上、下箔体８，９の耐熱絶縁層１２，１３で三重に絶縁対策が施されているので、非常に安全性の高いものとしてある。また、コード状発熱体７を挟持した際、凹凸の無い平面である箔体８側で着座部３に接着しているため、断熱層となる不要な気泡の発生を抑制し、着座部３の表面温度の均一性を向上させる。
【００２０】
発熱体４の具体的な配列は、直線部長さを８０ｍｍ以下としたＵ字形状の集合で構成される。Ｕ字形状は着座部３の中心線１４方向に対してある角度αで略左右対称に並んでおり、αを小さくするに従いＵ字形状の直線部長さは長くなる。このαを調整することで、コード状発熱体７の直線部長さを調節することができる。また線間距離Ｌ１や左右のＵ字
形状同士の距離Ｌ２を各々のＵ字形状ごとに調節することで、局所的なコード状発熱体７の長さの調整ができる。中心線１４に対して対象的な配列のため、均一な温度分布となるように調節も容易である。Ｕ字形状とした部分は本実施の形態ではＲ４〜Ｒ７である。
【００２１】
発熱体４は、上、下箔体８、９によりコード状発熱体７を保持しているが、便座暖房を繰り返し行うので、熱変化による影響が生じる。この時に貼り合わせに用いられる接着剤は高温時に軟化し、保持されているコード状発熱体７自体も高温化時には熱膨張することで「伸び」が生じ、保持された状態から動いてしまう可能性がある。その際、直線部が長いほど、常温と高温との間での伸縮の差が大きくなり、直線部の一部に屈曲や、貼り付け状態での浮きが生じるなどの状況が発生する。すると、高温化した際に、浮きの生じた部分で上、下箔体８，９への放熱ができずコード状発熱体７の局所過熱となり、被覆材破断や断線が生じてしまう。そこで、繰り返し昇温する際の伸縮の影響を最小にできるように配線パターンを設定する必要があり、それには直線部の長さと屈曲部の繰り返しが大きく関与することが明らかになった。Ｕターン部の屈曲形状は、この伸縮の影響をある程度吸収することができるので、適度な長さの直線部分と屈曲部の構成を備えて、繰り返し生じる高温化による温度変化の影響を最小限におさえ、かつ、なるべくコード状発熱体７の全長を短くして便座の着座部暖房温度を均一にすることが出来る最適な配設パターンとすることが非常に大きな課題となる。この課題を解決できる配設パターンの一例がこの構成である。
【００２２】
便座の着座部３は複雑な３次曲面の形状をしており、コード状発熱体７を蛇行配線した発熱体４を貼り付けると、屈曲部が線のよじれも吸収して、好都合である。
【００２３】
便座の着座部３の形状は複雑な３次曲面であり、着座部３の各場所の凹凸面によって表面積が変わるため着座部３表面からの放熱量も変わってくる。また、縁の立ち上がり部には発熱体４を配設しづらいため、縁近傍では放熱が大きく、縁の立ち下がり高さの違いによっても放熱量が変わってくるので、均一な線間距離でコード状発熱体７を配列すると着座部３では表面温度にムラが生じる。しかし、この配列ではＵ字形状のＵターン部を縁近傍に構成しているため、Ｕターン部の分縁近傍のワット密度が高くなり都合がよい。また、配線するコード状発熱体７自体が同軸のケーブル状であるため、面ヒータなどと違って方向性を気にせず、屈曲配設することができる。さらに、この構成だと角度αおよび線間距離Ｌ１、Ｕ字間距離Ｌ２を調節し、着座部３の凹凸のため表面積が広い箇所や縁の立ち上がり部が高いために放熱の大きい箇所ではコード状発熱体７を密に配設し、逆に放熱の低い箇所ではコード状発熱体７を粗に配設するといった発熱体全体の中で局所的に粗密を設けることが可能であるので、着座部３の表面温度分布がムラなく均一なものとなる。具体的には、発熱体密度を領域Ａ１では粗に、領域Ａ２では密となるように配設する。図３の各断面図の通り、領域Ａ１と比べ、領域Ａ２では縁の立ち上がりが高く着座部３の面積も狭いため、相対的にコード状発熱体７を配設できない部分の面積が占める割合が大きい。したがって、そこからの放熱を考慮して領域Ａ１より密に配設することで着座部３全体のワット密度を略均一なものにできる。すなわち分割された領域毎に単位面積あたりのコード状発熱体長さを略等しい長さとして温度分布を均一化することが出来る。
【００２４】
前記の構成において、コード状発熱体７に通電して発熱させると、その熱は上、下箔体８、９から着座部３に伝熱され、全面を所定の暖房温度に加温することとなる。上、下箔体８、９は上下２枚のものが一体化されている形にあるので、下部箔体９に伝導された熱も熱伝導しやすい上部箔体８に殆んど伝わり、有効に着座部３に熱移動するものである。
【００２５】
そして、コード状発熱体７は、各々の領域でのワット密度は違うものの昇温値はほぼ等しくなるように配線パターンを調整されているため、着座部３全体の表面温度が均一となり、膨張・収縮による歪みが最小限となって、コード状発熱体７の破断を抑制することが
できる。さらに直線部の長さが８０ｍｍ以下と短いため、線膨張係数１６．８×１０−６のエナメル線では温度上昇１５０Ｋにおける伸びは０．２ｍｍ以下と熱膨張に起因する長さ変化が極めて小さいものとなり、熱膨張に起因するストレスが小さくなるため、長期間の使用でも破損などを抑制できるものである。また、この配線パターンではコード状発熱体７伸縮の緩衝部位として働くＵ字形状の１８０°の折り返し部をスペースの効率よく多数構成することができるので、さらに熱膨張によるコード状発熱体７の伸縮の影響を低減させることができる。加えて、コード状発熱体７の熱的伸縮が小さいので上、下箔体８、９に対する密着性も長期間良好に維持できることとなり、これにより着座部３の加温が効率的に、かつ確実に行うことができるものである。
【００２６】
また、コード状発熱体７の構成としては、図４（ｂ）に示すように、耐熱絶縁層１２、１３をエナメル線５に対して外側に来るように上、下箔体８、９を構成した後、一体化した上、下箔体８、９の端面を絶縁部材１５で封止する構成も考えられる。この構成では、図４（ａ）の構成と同様三重の絶縁性を保った上で、エナメル線５のすぐ外側に熱良導性の上、下箔体８、９があるために、コード状発熱体７の熱が速やかに上、下箔体８、９に吸熱され温度分布が均一となり、結果として銅線１０の線温度も下がるのでコード状発熱体７の破断を抑制することができる。
【００２７】
また一方、使用者が着座した際にまず冷たさを感じ、また接触面積も広い太腿が接するであろう領域である領域Ａ３の辺りのコード状発熱体７の配線密度を相対的に高密度化、残りの領域を低密度化し、あえて便座部表面の温度分布を不均一にする構成も考えられる。こうすることで、より快適性の高い即暖房便座を提供することができる。
【００２８】
なお、コード状発熱体７の一部を密蛇行とした検温部１６が形成してあり、検温部１６にはバイメタルなどを使った復帰型のサーモスタットを設置するようにしている。例えば、着座部３が想定外の異常温度となると復帰型のサーモスタットが開いて一時的に通電を停止し、電源を遮断するようにしている。このような密蛇行箇所は安全装置の数だけ複数個設けてもよい。また、この検温部の線密度が高い部分は、上昇温度が高く熱影響が他の部位よりも大きいので、着座部よりも直線部長さを本実施の形態では１５から２０ｍｍの長さで、他の部位よりも短くし、Ｒ２で蛇行配設している。この構成によって、この部分の熱影響も緩和され、断線が抑制される。
【００２９】
（実施の形態２）
図５Ａ、図５Ｂに暖房便座１の発熱体４の配列図を示す。実施の形態１と異なるのはこの配列で、他については実施の形態１と同様であり、同作用をする構成については同一の符号を付し、詳細な説明は実施例１のものを援用する。
【００３０】
コード状発熱体７の具体的な配列は、直線部長さを８０ｍｍ以下としてＵ字形状の集合で構成される。Ｕ字形状は着座部３の中心方向に対して左右に平行に並び、図に点線Ｂで示すようなブロックを作り配列される。平行に並んでいるＵ字形状の線間距離Ｌ３を変えることで、着座部３の中心線１４に対して垂直方向に温度分布を調節することができる。具体的には、着座部３の縁の立ち下がり高さは着座部３の場所によってまちまちで、かつこの部分は便座本体２との嵌合のためにコード状発熱体７を構成することが難しく、そこからの放熱量が大きくなる。そのため、着座部３の中心部の線間距離Ｌ３を大きくとり、縁側にいくにしたがって線間距離Ｌ３を小さくすることで、温度分布の均一化が図れる。つまり、中心線１４に沿った方向にコード状発熱体７のＵ字形状が配設されているため、中心線１４に対して垂直方向へのワット密度の粗密は調整しやすい配列となっている。
【００３１】
また、便座の着座部３の形状は複雑な３次曲面であり、着座部３の各場所の凹凸によっても表面積が変わってくる。そのため、ブロック毎に線間距離Ｌ３を変えることで、ブロ
ック毎の線密度を調節することができ、暖房便座１全体として温度分布の均一化も図ることができる。
【００３２】
さらにこの配列は、コード状発熱体７の直線距離が３０〜５０ｍｍ程度の長さで構成することが出来るため、ますます温度上昇時のコード状発熱体７の膨張が小さいものとなり、かつコード状発熱体７の伸びの緩衝地帯となるＵ字形状のＵターン部の数も増えるため、よりコード状発熱体７の破断を抑制できる。
【００３３】
（実施の形態３）
図６Ａ、図６Ｂに暖房便座１の発熱体４の配列図を示す。実施の形態１と異なるのはこの配列で、他については実施の形態１と同様であり、同作用をする構成については同一の符号を付し、詳細な説明は実施例１のものを援用する。
【００３４】
発熱体４の具体的な配列は、直線部長さを８０ｍｍ以下としてＵ字形状の集合で構成される。Ｕ字形状は着座した際の左右方向に直線部をもつように配列される。コード状発熱体７の線間距離Ｌ４、Ｌ５を変えることで着座部３前後方向の温度分布を、線間距離Ｌ６を変えることで着座部３左右方向の温度分布をそれぞれ調節することができる。
【００３５】
また、ほぼ全てのＵ字形状が平行なものとなっているので、上箔体８および下箔体９とで挟持する際、一定方向から圧延するだけで気泡が入りづらいものとなっている。気泡が確実に排除できる構成であれば、コード状発熱体７の動き、浮きなどの発生も最小限に抑えられるので好ましい。
【００３６】
図中に点線Ｃで示すような領域を考えると、領域ごとのＬ４、Ｌ５、Ｌ６を３次曲面である着座部３の表面形状に合わせて調節することで、暖房便座１全体として温度分布の均一化も図ることができる。
【００３７】
以上の実施の形態から明らかなように、本発明の本質は、発熱体４の構成を直線部長さの短いＵ字形状の集合とした蛇行させたコード状発熱体７で構成したもので、コード状発熱体７としてはエナメル線５に特定されることはなく、さらに線形の太いものでもよいし、複数本撚り合わせたものでもよい。また、即熱タイプの着座部ではなく、常時、暖房温度を維持しておく通常の暖房便座へももちろん展開可能で、便器上にセットすれば快適なトイレにすることができるものである。
【産業上の利用可能性】
【００３８】
以上のように、本発明にかかる暖房便座は、着座部の温度的特性を向上したもので、快適なトイレを提供できるものである。
【図面の簡単な説明】
【００３９】
【図１Ａ】（ａ）本発明の実施の形態１における暖房便座の発熱体の配列を示す正面図（ｂ）同右側面図（ｃ）左側面図（ｄ）下面図（ｅ）上面図
【図１Ｂ】（ｆ）本発明の実施の形態１における暖房便座の発熱体の背面図
【図２】同実施の形態１における暖房便座の着座部の上面図
【図３】（ａ）同実施の形態１における暖房便座の着座部の上面図のＡ１−Ａ１断面図（ｂ）Ａ２−Ａ２断面図
【図４】（ａ）同実施の形態１における発熱体の拡大断面図（ｂ）同発熱体の封止構成の説明図
【図５Ａ】（ａ）同実施の形態２における暖房便座の発熱体の配列を示す正面図（ｂ）同右側面図（ｃ）左側面図（ｄ）下面図（ｅ）上面図
【図５Ｂ】（ｆ）同実施の形態２における暖房便座の発熱体の背面図
【図６Ａ】（ａ）同実施の形態２における暖房便座の発熱体の配列を示す正面図（ｂ）同右側面図（ｃ）左側面図（ｄ）下面図（ｅ）上面図
【図６Ｂ】（ｆ）同実施の形態３における暖房便座の発熱体の背面図
【図７】（ａ）従来の衛生洗浄装置のヒータ配線を示す図（ｂ）同装置の便座のヒータ取付部の断面図
【符号の説明】
【００４０】
１  暖房便座
２  便座本体
３  着座部
４  発熱体
５  エナメル線
６  絶縁材
７  コード状発熱体
８  上箔体
９  下箔体
１０  銅線
１１  絶縁被覆
１２、１３  耐熱絶縁層
１４  中心線
１５  絶縁部材
【図１Ａ】
0005597910.tif 000002
【図１Ｂ】
0005597910.tif 000003
【図２】
0005597910.tif 000004
【図３】
0005597910.tif 000005
【図４】
0005597910.tif 000006
【図５Ａ】
0005597910.tif 000007
【図５Ｂ】
0005597910.tif 000008
【図６Ａ】
0005597910.tif 000009
【図６Ｂ】
0005597910.tif 000010
【図７】
0005597910.tif 000011